(57)【要約】【課題】ステッキ全体の意匠性を悪化すること無く、内部に受け部材を固定することができ、かつ設計変更が容易となるステッキを提供することをその課題としている。【解決手段】上端部に取っ手４を設けた円筒状のステッキ本体２と、下部をステッキ本体２の下端から突出させた状態でステッキ本体２の下部に内蔵されたクッションユニット３と、クッションユニット３の下端部に設けられた石突５と、を備え、クッションユニット３は、ステッキ本体２の内周面に固定された内部パイプ４１と、内部パイプ４１に収容された受け部材４２と、下端部に石突５が設けられ、ステッキ本体２にスライド自在に装着した可動シャフト４５と、受け部材４２と可動シャフト４５との間に介設したコイルバネ４３と、を有し、受け部材４２は、内部パイプ４１と共に外側から一体的にかしめて内部パイプ４１に固定する。【選択図】図２
2007282986.tif 000002
【特許請求の範囲】
【請求項１】
上端部に取っ手を設けた円筒状のステッキ本体と、
下部を前記ステッキ本体の下端から突出させた状態で前記ステッキ本体の下部に内蔵されたクッションユニットと、
前記クッションユニットの下端部に設けられた石突と、を備え、
前記クッションユニットは、前記ステッキ本体の内周面に固定された内部パイプと、
前記内部パイプに収容された受け部材と、
下端部に前記石突が設けられ、前記ステッキ本体にスライド自在に装着した可動シャフトと、
前記受け部材と前記可動シャフトとの間に介設したコイルバネと、を有し、
前記受け部材は、前記内部パイプと共に外側から一体的にかしめられて前記内部パイプに固定されていることを特徴とするステッキ。
【請求項２】
前記石突の接地面には、同心円となる複数の環状溝が形成されていることを特徴とする請求項１に記載のステッキ。
【請求項３】
前記クッションユニットは、
前記コイルバネを遊挿保持すると共に、前記可動シャフトの軸心に貫通形成した貫通孔にスライド自在に挿通する挿通ロッド、を更に有し、
前記挿通ロッドの一方の端部は、前記一体的かしめにより前記受け部材に固定され、他方の端部には、コイルバネに抗して可動シャフトを抜け止めする抜止め部材が設けられていることを特徴とする請求項１または２に記載のステッキ。
【請求項４】
前記ステッキ本体は、上端部に前記取っ手を設けた上パイプと、
内周面に前記内部パイプが固定され、前記上パイプに入れ子式で係合した下パイプと、
前記上パイプと前記下パイプとの間に介設され入れ子状態の長さを調節する長さ調節機構と、を有し、
前記下パイプに対し前記内部パイプは、前記長さ調節機構により最大長さに調節された上パイプと下パイプとのオーバーラップ部分に位置して、貫通ピンにより固定されていることを特徴とする請求項１ないし３のいずれかに記載のステッキ。
【発明の詳細な説明】
【技術分野】
【０００１】
本発明は、内部にクッションユニットを設け、使用時に地面からの衝撃を吸収するステッキに関するものである。
【背景技術】
【０００２】
従来、この種のステッキとして、円筒状のステッキ本体と取っ手との間にバネを内蔵したものが知られている。この場合、バネの一端は、取っ手の装着部に当接し、他端は、ステッキ本体の内部に設けられた受け部材に当接しており、受け部材は、外側からステッキ本体と共に受け部材をかしめることでステッキ本体に固定されている（特許文献１参照）。
【特許文献１】特開平１０−３１３９２１号公報
【発明の開示】
【発明が解決しようとする課題】
【０００３】
しかし、上記ステッキでは、ステッキ本体と共に受け部材をかしめているため、ステッキ本体の一部が窪み、ステッキ全体の意匠性が悪化するという問題があった。また、ステッキ本体と共に受け部材をかしめて固定しているため、樹脂系材料等を用いることができず、使用する材質が限定され、さらにステッキ本体に受け部材を直接固定するため、設計変更が困難であるという問題があった。
【０００４】
本発明は、ステッキ全体の意匠性を悪化すること無く、内部に受け部材を固定することができ、かつ設計変更が容易となるステッキを提供することをその課題としている。
【課題を解決するための手段】
【０００５】
本発明のステッキは、上端部に取っ手を設けた円筒状のステッキ本体と、下部をステッキ本体の下端から突出させた状態でステッキ本体の下部に内蔵されたクッションユニットと、クッションユニットの下端部に設けられた石突と、を備え、クッションユニットは、ステッキ本体の内周面に固定された内部パイプと、内部パイプに収容された受け部材と、下端部に石突が設けられ、ステッキ本体にスライド自在に装着した可動シャフトと、受け部材と可動シャフトとの間に介設したコイルバネと、を有し、受け部材は、内部パイプと共に外側から一体的にかしめられて内部パイプに固定されていることを特徴とする。
【０００６】
この構成によれば、ステッキの使用時に地面からの衝撃が可動シャフトを介してコイルバネで吸収され、使用者の肩などへの負担を軽減することができる。また、受け部材は、ステッキ本体に覆われた状態で、内部パイプにかしめられて固定されるので、かしめによりステッキ本体の表面に生じた窪み部分が外部から視認されることがなく、意匠性が悪化することがない。さらに、ステッキ本体ではなく、内部パイプに受け部材がかしめられて固定されているため、ステッキ本体の材質が限定されることがなく、また、内部パイプとステッキ本体共に円筒状をしているので内部パイプとステッキ本体との固定方法の自由度が増し、設計変更が容易になる。
【０００７】
この場合、石突の接地面には、同心円となる複数の環状溝が形成されていることが、好ましい。
【０００８】
この構成によれば、複数の環状溝により地面に対する密着性が増し、ステッキを地面に突き立てたときに、石突の滑りを防止することができる。また、環状溝が同心円状に形成されているため、上り坂、下り坂等の石突の接地方向により接地面の密着性が異なることがない。
【０００９】
この場合、クッションユニットは、コイルバネを遊挿保持すると共に、可動シャフトの軸心に貫通形成した貫通孔にスライド自在に挿通する挿通ロッド、を更に有し、挿通ロッドの一方の端部は、一体的かしめにより受け部材に固定され、他方の端部には、コイルバネに抗して可動シャフトを抜け止めする抜止め部材が設けられていることが、好ましい。
【００１０】
この構成によれば、内部パイプ、受け部材、可動シャフト、コイルバネおよび挿通ロッドをユニット化することができ、ステッキの組立性を向上させることができる。また、可動シャフトは、外周面がステッキ本体にガイドされ、内周面が挿通ロッドにガイドされるので、可動シャフトのスライド時にブレが生じることがなく、ステッキの突き立て時、持ち上げ時に使用者が違和感を生じることがない。なお、抜止め部材をネジで構成すればコイルバネのバネストロークを自在に調整することができる。
【００１１】
この場合、ステッキ本体は、上端部に取っ手を設けた上パイプと、内周面に内部パイプが固定され、上パイプに入れ子式で係合した下パイプと、上パイプと下パイプとの間に介設され入れ子状態の長さを調節する長さ調節機構と、を有し、下パイプに対し内部パイプは、長さ調節機構により最大長さに調節された上パイプと下パイプとのオーバーラップ部分に位置して、貫通ピンにより固定されていることが、好ましい。
【００１２】
この構成によれば、ピン接合により、ステッキ本体と内部パイプとを固定した場合でも、接合部が上パイプと下パイプのオーバーラップ部分に覆い隠されるため、接合部が外部に露出することがなく、ステッキ本体の意匠性が悪化することがない。
【発明を実施するための最良の形態】
【００１３】
以下、添付の図面を参照して、本発明の実施形態に係るステッキについて説明する。ステッキは、歩行、ハイキング、登山、スキーのストック等において、使用者の体重を支えて、使用者の足腰への負担を軽減すると共に、内蔵したクッションユニットにより衝撃荷重による肩等への負担を軽減するものである。
【００１４】
図１に示すように、ステッキ１は、円筒状のステッキ本体２と、ステッキ本体２の上端部に設けた取っ手４と、ステッキ本体２の下端から突出した状態でステッキ本体２の下部に内蔵されたクッションユニット３と、クッションユニット３の下端部に装着された石突５と、を備えている。
【００１５】
取っ手４は、木材や樹脂等で構成され、或いは、これらにゴムやウレタン等の滑り止め材を被覆して構成されており、ステッキ本体２の上端部に装着される取っ手装着部１１と、取っ手装着部１１の上部から、略水平方向に延在する握り部１２と、を有している。握り部１２は、取っ手装着部１１を境にして前部が長く後部が短くなるように延在している。また、握り部１２は、延在方向になだらかな波型に形成され、使用者の手のひらにフィットするように形成されている。なお、実施形態の握り部１２は右利き・左利き兼用であるが、フィット感を重視する場合には、別々に形成してもよい。
【００１６】
ステッキ本体２は、上端部を取っ手装着部１１に装着した円筒状の上パイプ２１と、上パイプ２１の内周面に入れ子式で係合し、下部にクッションユニット３を内蔵した円筒状の下パイプ２２と、から構成されている。上パイプ２１および下パイプ２２は、外周面を所定の色彩や模様に仕上げたアルミパイプで構成され、かつ安全基準に基づく強度を有している。
【００１７】
上パイプ２１の下部周面には、上下方向に等ピッチに複数（本実施形態では６つ）の調節孔２４が形成されており、下パイプ２２の上部周面には、各調節孔に出没自在に嵌合する嵌入ピン２３が設けられている。嵌入ピン２３は、押出バネ（図示省略）により突出方向に付勢されており、この嵌入ピン２３と上記複数の調節孔２４との選択的嵌合により、上パイプ２１と下パイプ２２とを６段階で長さ調整可能な長さ調節機構が構成されている。使用者が、ステッキ１の長さ調整を行う場合には、嵌入ピン２３を工具等で押し込みつつ下パイプ２２に対して上パイプ２１を上下動させることでステッキ１の長さ調節を行うようになっている。
【００１８】
また、嵌入ピン２３の下方には、下パイプ２２の上端部を径方向に貫くように一対のピン穴５１が形成されている。このピン穴５１は、後述する内部パイプ４１を下パイプ２２に固定するための貫通ピン５２を植込む部分であり、ステッキ１を最大長さに調節した場合に上パイプ２１と下パイプ２２とのオーバーラップ部分に位置する構成となっている。つまり、ピン穴５１（貫通ピン５２）は、常に上パイプ２１に覆い隠される構成となっている（図２参照）。
【００１９】
石突５は、硬質のゴム等で構成され、地面に接地する円柱状の接地部３１と、接地部３１に連なりクッションユニット３の下端部に着脱自在に装着される石突装着部３５とを有している。石突装着部３５の軸心部分には、上端に円形の開口を有した装着凹部３２が形成され、また外周面は、下方に向かって広がるテーパ形状に形成されている。装着凹部３２の底面には、平座金３３が装着されており、この平座金３３に、装着したクッションユニット３の下端が突き当たるようになっている。なお、平座金３３は、石突５を成形する際にインサート形式に投入セットされるようになっている。したがって、交換部品としての石突５から平座金３３が抜け落ちることはない。接地部３１は、下面が接地面となっており、接地面には同心円状の環状溝３４が２つ形成されている。この２つの環状溝３４により地面に対する角度に応じて接地面が僅かに変形することで密着性が増し（スリップが抑制され）、ステッキ１を地面に突き立てたときに、石突５の滑りを防止することができる。また、環状溝３４が同心円状に形成されているため、上り坂や下り坂等において接地面の密着性が異なることがない構成となっている。
【００２０】
クッションユニット３は、ステッキ本体２（下パイプ２２）の内周面に固定された内部パイプ４１と、内部パイプ４１の下端部に嵌合固定された受け部材４２と、上端部を受け部材４２の軸心に固定した挿通ロッド４４と、挿通ロッド４４に巻回するように遊挿され、上端を受け部材４２に当接したコイルバネ４３と、挿通ロッド４４の軸心に形成された貫通孔にスライド自在に装着し、コイルバネ４３の他端が当接する可動シャフト４５と、可動シャフト４５の抜け止めを防止すべく挿通ロッド４４の下端部に螺合した締結ナット４６と、を備えている。
【００２１】
可動シャフト４５は、ジュラコン樹脂で円筒状に形成され、その外周面は、下パイプ２２にスライド自在に内接する本体スライド部と、本体スライド部の下側に連なり、本体スライド部よりわずかに太径の石突装着部と、を有している。石突装着部は、これが装着される石突５の装着凹部３２と相補的形状となっており（同一径、同一長）、またスライド本体と石突装着部との境界を為す段部は、コイルバネ４３に抗して、ステッキ１に最大荷重がかかった場合に下パイプ２２の下端に度当たりしてストッパとして機能する。このように、段部と下パイプ２２の下端との相対的な位置関係によりステッキ１の最大ストローク量が規定されている。可動シャフト４５に形成された貫通孔は、挿通ロッド４４が挿通するロッド貫通孔５４と、可動シャフト４５の下端部に形成され、ロッド貫通孔５４に連なり締結ナット４６が収容されるザグリ穴形状のナット貫通孔５５と、から構成されている。
【００２２】
挿通ロッド４４は、真鍮やステンレス等の棒材で構成されており、その上下両端部には、上端ネジ部５４および下端ネジ部５７がそれぞれ形成されている。上端ネジ部５４は、受け部材４２に形成された挿入孔５３に嵌合固定され、下端ネジ部５７は、コイルバネ４３の付勢力に抗して抜け止めする締結ナット４６に螺合している。この場合、下端ネジ部５７は、締結ナット４６の厚み分の寸法となっており、下端ネジ部５７の端まで最大限にねじ込むことで緩み止めとなっている。なお、本実施形態では、単一の締結ナット４６で抜け止めしているが、この構成に代えてダブルナットで抜け止めする構成としてもよい。この場合、下端ネジ部５７の寸法を広めに確保しておくことで、ナットの締付け位置を自由に調整することができ、コイルバネ４３のバネストロークを自在に調整することもできる。
【００２３】
内部パイプ４１は、アルミニウム等の塑性材料で形成され、上端部を径方向に貫くように一対のピン穴２５が形成されている。そして、下パイプ２２に形成されたピン穴５１と内部パイプ４１に形成されたピン穴２５とを重ね合わせ、これに貫通ピン５２を圧入することで下パイプ２２に対して内部パイプ４１が固定されている。下パイプ２２に形成されたピン穴５１は、上述したように上パイプ２１により常に覆い隠されているため、貫通ピン５２が外部に露出することがなく、意匠性が悪化することがない。
【００２４】
受け部材４２は、硬質樹脂やアルミニウム等の塑性材料で円柱状に形成され、軸心に挿入孔５３が形成され、下端部には下パイプと同径のフランジ部が形成されている。そして、受け部材４２は、その上端側から内部パイプ４１に挿入され、内部パイプ４１の下端にフランジ部が突き当たった状態で位置規制される。この状態で、受け部材４２およびこれに挿入した挿通ロッド４４は内部パイプ４１にかしめられて固定される（後述する）。すなわち、受け部材４２と挿通ロッド４４とは、供締めとなるように内部パイプ４１にかしめ固定されている。
【００２５】
続いて、本実施形態のステッキ１の組立て方法について簡単に説明する。まず、クッションユニット３の組立てについて説明する。可動シャフト４５の下端ネジ部５７に締結ナット４６を締結固定し（最大限締め込む）する一方、内部パイプ４１の内周面に受け部材４２を挿入する。そして挿通ロッド４４に、可動シャフト４５、コイルバネ４３を挿通し、さらにその上端ネジ部５４を受け部材４２に挿通する。ここで、挿通ロッド４４（締結ナット４６）をコイルバネ４３に抗して受け部材４２に向けて押し込みつつ、外側から内部パイプ４１と共に、受け部材４２および挿通ロッド４４を一体的にかしめて固定する。このように組み立てることで、内部パイプ４１、受け部材４２、可動シャフト４５、コイルバネ４３および挿通ロッド４４をユニット化することができ、ステッキ１の組立性を向上させることができる。
【００２６】
組み立てられたクッションユニット３は、内部パイプ４１側から下パイプ２２に挿入し、貫通ピン５２によりステッキ本体（下パイプ２２）２内に圧入固定される。この時、クッションユニット３の大部分がステッキ本体２に覆われ（内蔵され）、可動シャフト４５の略半部のみが外部に露出する構成となっている。そして、クッションユニット３の上端部に取っ手４を取り付けると共に、可動シャフト４５の下端部に石突５を装着する。このようにして、ステッキ１が組み立てられる。この時、ステッキ本体２および石突５から可動シャフト４５の一部が露出する構成となるが、この露出部分が上述したステッキ１の最大ストローク量に相当している。
【００２７】
そして、使用者が自身体重をかけてステッキ１を地面に突き立てると、地面からの衝撃により、可動シャフト４５がステッキ本体２に対して相対的に上動し、可動シャフト４５に押し込まれたコイルバネ４３が収縮することにより、衝撃が吸収される。一方、使用者がステッキ１を持ち上げると、コイルバネ４３の付勢力により可動シャフト４５が元の位置に自動的に押し戻される。この時、可動シャフト４５は、外周面がステッキ本体２にガイドされ、内周面が挿通ロッド４４にガイドされるので、可動シャフト４５のスライド時にブレが生じることがなく、ステッキ１の突き立て時、持ち上げ時に使用者が違和感を生じることがない。このように、使用者がステッキ１を地面に突き立てる度に、衝撃が吸収されるので、使用者がステッキ１を長時間の使用することによる肩への負担を軽減することができる。
【００２８】
以上説明したとおり、本実施形態のステッキ１によれば、受け部材４２は、ステッキ本体２に覆われた状態で、内部パイプ４１にかしめられて固定されるので、かしめによりステッキ本体２の表面に生じた窪み部分が外部から視認されることがなく、意匠性が悪化することがない。また、ステッキ本体２ではなく、内部パイプ４１に受け部材４２がかしめられて固定されているため、ステッキ本体２の材質が限定されることがなく、また、内部パイプ４１とステッキ本体２共に円筒状をしているので内部パイプ４１とステッキ本体２との固定方法の自由度が増し、設計変更が容易になる。
【図面の簡単な説明】
【００２９】
【図１】ステッキの正面図である。
【図２】クッションユニット、ステッキ本体および石突の断面図である。
【符号の説明】
【００３０】
１…ステッキ  ２…ステッキ本体  ３…クッションユニット  ４…取っ手  ５…石突  ２１…上パイプ  ２２…下パイプ  ３４…環状溝４１…内部パイプ  ４２…受け部材  ４３…コイルバネ  ４４…操作ロッド  ４５…可動シャフト  ４６…締結ナット  ５２…貫通ピン  ５４…貫通孔
【図１】
2007282986.tif 000003
【図２】
2007282986.tif 000004